(57)【要約】【課題】装置の小型化を達成できるとともに、蓄積性蛍光体シートに対する処理の高速化を図り、しかも、簡易な構成からなる放射線画像情報読取装置及びそれに装填されるカセッテを提供する。【解決手段】カセッテ１２の蓋部材１６に形成した溝部２１ａ、２１ｂにリンク部材２３ａ、２３ｂのピン部材７３ａ、７３ｂが係合し、その状態でカセッテ１２を搬送することにより蓋部材１６が開蓋される。その後、ピン部材７０ａ、７０ｂによって変位する係合部材１９ａ、１９ｂが蓄積性蛍光体シートＩＰの溝部１７ａ、１７ｂに係合して蓄積性蛍光体シートＩＰをカセッテ１２から所定量突出させ、その状態において、読取ユニット７９が蓄積性蛍光体シートＩＰを走査して放射線画像情報の読取処理を行う。【選択図】図３
2005202293.tif 000002
【特許請求の範囲】
【請求項１】
放射線画像情報が蓄積記録された蓄積性蛍光体シートに励起光を照射し、得られた輝尽発光光を光電的に読み取って前記放射線画像情報を取得した後、消去光を照射して残存する放射線画像情報を消去する放射線画像情報読取装置において、
前記蓄積性蛍光体シートを収納したカセッテを装填する装填部と、
一端部が前記蓄積性蛍光体シートを収納するカセッテ本体部に軸支されてなる蓋部材を開閉する開閉機構と、
前記蓄積性蛍光体シートを前記カセッテの他端部から所定量取り出す取出機構と、
前記蓄積性蛍光体シートの主方向に励起光を照射し、前記励起光によって前記蓄積性蛍光体シートから得られる輝尽発光光を読み取るとともに、前記蓄積性蛍光体シートの取出方向である副方向に移動する読取部と、
前記蓄積性蛍光体シートに対して消去光を照射する消去部と、
を備えることを特徴とする放射線画像情報読取装置。
【請求項２】
請求項１記載の装置において、
前記カセッテを搬送する搬送機構を備え、
前記開閉機構は、前記蓋部材に係合する係合部材を有し、前記係合部材が前記搬送機構による前記カセッテの搬送動作に基づいて前記蓋部材を開閉することを特徴とする放射線画像情報読取装置。
【請求項３】
請求項１記載の装置において、
前記カセッテを搬送する搬送機構を備え、
前記取出機構は、前記カセッテに収納されている前記蓄積性蛍光体シートに係合する係合部材を有し、前記係合部材が前記搬送機構による前記カセッテの搬送動作に基づいて前記蓄積性蛍光体シートを前記カセッテから所定量取り出すことを特徴とする放射線画像情報読取装置。
【請求項４】
放射線画像情報が蓄積記録された蓄積性蛍光体シートに励起光を照射し、得られた輝尽発光光を光電的に読み取って前記放射線画像情報を取得した後、消去光を照射して残存する放射線画像情報を消去する放射線画像情報読取装置に装填され、前記蓄積性蛍光体シートを収納するカセッテにおいて、
前記カセッテは、
前記蓄積性蛍光体シートを収納するカセッテ本体部に対して一端部が軸支される蓋部材と、
前記蓋部材の側部に沿って一端部側から他端部側に延在する溝部と、
を備え、前記カセッテを前記放射線画像情報読取装置に装填した際、前記溝部に係合して移動する係合部材により前記蓋部材が前記カセッテ本体部に対して開蓋されることを特徴とするカセッテ。
【発明の詳細な説明】
【技術分野】
【０００１】
本発明は、放射線画像情報が蓄積記録された蓄積性蛍光体シートに励起光を照射し、得られた輝尽発光光を光電的に読み取って前記放射線画像情報を取得した後、消去光を照射して残存する放射線画像情報を消去する放射線画像情報読取装置及びそれに装填されるカセッテに関する。
【背景技術】
【０００２】
従来から、照射された放射線エネルギの一部を蓄積する一方、可視光等の励起光を照射することにより、蓄積された放射線エネルギに応じて輝尽発光する蓄積性蛍光体シートを用いた放射線画像情報読取装置が知られている。
【０００３】
例えば、特許文献１に開示された放射線画像情報読取装置では、放射線画像情報が蓄積記録された蓄積性蛍光体シートを収納したカセッテを装置に装填した後、カセッテの蓋体を取り外して蓄積性蛍光体シートを装置内に露出させ、次いで、読取部を蓄積性蛍光体シートに沿って移動させて放射線画像情報の読取処理を行っている。
【０００４】
また、特許文献２に開示された放射線画像情報読取装置では、一端部がカセッテに軸支された蓋体を装置内で開蓋した状態で移動させ、読取部により蓄積性蛍光体シートに記録されている放射線画像情報の読取処理を行うとともに、消去部により残存する放射線画像情報の消去処理を行っている。
【０００５】
【特許文献１】特開２００２−６２３９８号公報（図２）
【特許文献２】特開平４−３２０２５３号公報（図１）
【発明の開示】
【発明が解決しようとする課題】
【０００６】
この場合、特許文献１では、カセッテの蓋体を取り外しているため、読取部が蓋体に干渉することがなく、蓄積性蛍光体シートの全領域に沿って読取部を移動させて放射線画像情報を読み取ることができる。しかしながら、作業者による蓋体の着脱作業が必要であるとともに、取り外された蓋体を確保するスペースも必要となる。
【０００７】
また、特許文献２の場合、蓋体が装着されたカセッテに収納されている蓄積性蛍光体シートの全領域を読取部によって読み取るためには、蓋体と読取部とが干渉しないように、蓋体を可能な限り大きく開蓋させる必要がある。従って、そのためのスペースを確保しなければならない。しかも、固定された読取部及び消去部に対してカセッテを移動させているため、その分のスペースも必要である。
【０００８】
本発明は、前記の不具合に鑑みてなされたものであり、装置の小型化を達成できるとともに、蓄積性蛍光体シートに対する処理の高速化を図り、しかも、簡易な構成からなる放射線画像情報読取装置及びそれに装填されるカセッテを提供することを目的とする。
【課題を解決するための手段】
【０００９】
前記の目的を達成するために、本発明は、放射線画像情報が蓄積記録された蓄積性蛍光体シートに励起光を照射し、得られた輝尽発光光を光電的に読み取って前記放射線画像情報を取得した後、消去光を照射して残存する放射線画像情報を消去する放射線画像情報読取装置において、
前記蓄積性蛍光体シートを収納したカセッテを装填する装填部と、
一端部が前記蓄積性蛍光体シートを収納するカセッテ本体部に軸支されてなる蓋部材を開閉する開閉機構と、
前記蓄積性蛍光体シートを前記カセッテの他端部から所定量取り出す取出機構と、
前記蓄積性蛍光体シートの主方向に励起光を照射し、前記励起光によって前記蓄積性蛍光体シートから得られる輝尽発光光を読み取るとともに、前記蓄積性蛍光体シートの取出方向である副方向に移動する読取部と、
前記蓄積性蛍光体シートに対して消去光を照射する消去部と、
を備えることを特徴とする（請求項１記載の発明）。
【００１０】
装填部から装填されたカセッテは、開閉機構によって蓋部材が開蓋された後、取出機構によりカセッテ本体部に収納されている蓄積性蛍光体シートが所定量だけ取り出される。次いで、読取部が蓄積性蛍光体シートに沿って移動して放射線画像情報の読取処理を行った後、消去部が残存する放射線画像情報の消去を行う。
【００１１】
この場合、蓄積性蛍光体シートは、蓋体が読取部に干渉しない範囲で一部だけカセッテから突出した状態となっているため、カセッテ及び蓄積性蛍光体シートが占有するスペースを必要最小限として蓄積性蛍光体シートの全領域の読取処理を行うことができる。
【００１２】
なお、開閉機構を構成する係合部材をカセッテの蓋部材に係合させるとともに、搬送機構によってカセッテを装置内の所定部位に搬送するように構成し、搬送機構による搬送動作に基づいて蓋体を自動的に開閉させることができる（請求項２記載の発明）。
【００１３】
また、取出機構を構成する係合部材を蓄積性蛍光体シートに係合させるとともに、搬送機構によってカセッテを装置内の所定部位に搬送するように構成し、搬送機構による搬送動作に基づいて蓄積性蛍光体シートをカセッテから所定量自動的に取り出すことができる（請求項３記載の発明）。
【００１４】
さらに、カセッテの蓋部材の側部に沿って溝部を形成し、この溝部に開閉機構を構成する係合部材を係合させて移動可能に構成することにより、カセッテを放射線画像情報読取装置に装填させる動作に伴って蓋部材が自動的に開蓋するカセッテを提供することができる（請求項４記載の発明）。
【発明の効果】
【００１５】
本発明の放射線画像情報読取装置によれば、装置を小型且つ簡易に構成することができるとともに、蓄積性蛍光体シートに対する処理を高速に行うことができる。また、放射線画像情報読取装置に装填した際に、蓋部材を自動的に開蓋させることのできるカセッテを提供することができる。
【発明を実施するための最良の形態】
【００１６】
図１は、本実施形態に係る放射線画像情報読取装置１０の外観図、図２〜図４は、放射線画像情報読取装置１０の各状態での内部構成図である。
【００１７】
放射線画像情報読取装置１０は、カセッテ１２に収納された蓄積性蛍光体シートＩＰに記録された放射線画像情報を読み取った後、残存する放射線画像情報を消去し、カセッテ１２に収納して排出する機能を備える。
【００１８】
蓄積性蛍光体シートＩＰは、例えば、図５に示すように、ガラス等の硬質材料からなる支持基板１３に柱状の蓄積性蛍光体層１５を蒸着して形成される硬質のシートを用いることができる。蓄積性蛍光体層１５は、真空容器内で蓄積性蛍光体を加熱して蒸発させ、これらを支持基板１３上に付着させる真空蒸着法、スパッタリング法、ＣＶＤ、イオンフレーティング法を用いて形成することができる。このようにして形成される蓄積性蛍光体層１５は、蓄積性蛍光体が蓄積性蛍光体シートＩＰの平面と略垂直な柱状をなし、それぞれが光学的に独立に構成されており、照射される放射線に対して高感度で、且つ、画像の粒状性を低下させることができるとともに、励起光の散乱を減少させて画質を鮮明にすることができる。なお、蓄積性蛍光体シートＩＰとしては、硬質材料からなる支持基板１３上に蓄積性蛍光体層１５を形成したものに限られるものではなく、蓄積性蛍光体をフレキシブルな支持基板に塗布してなる蓄積性蛍光体シートを利用することもできる。
【００１９】
蓄積性蛍光体シートＩＰの端部側の両側部には、カセッテ１２から蓄積性蛍光体シートＩＰを所定量突出させるための溝部１７ａ、１７ｂが形成される。これらの溝部１７ａ、１７ｂには、後述する取出機構を構成する係合部材１９ａ、１９ｂ（図６）が係合する。
【００２０】
カセッテ１２は、蓄積性蛍光体シートＩＰを収納する本体部１４と、本体部１４に一端部が軸支され、他端部が開放可能に構成される蓋部材１６とを備える。本体部１４のうち、蓄積性蛍光体シートＩＰが挿入される開口部近傍の両側部には、図６に示すロック機構１８ａ、１８ｂが配設される。蓋部材１６の両側部には、長手方向に沿って溝部２１ａ、２１ｂが形成される。溝部２１ａ、２１ｂには、後述する開閉機構を構成するリンク部材２３ａ、２３ｂ（図２）の端部が係合する。
【００２１】
ロック機構１８ａ、１８ｂは、本体部１４に固定された支持部材２０にスプリング２２を介してスライド可能に構成されるスライド部材２４を有する。スライド部材２４は、本体部１４の両側部寄りの端部に開口する孔部２６ａ、２６ｂに臨む押圧部２８を有する。孔部２６ａ、２６ｂには、ロック機構１８ａ、１８ｂのロックを解除するピン部材６２ａ、６２ｂが挿入可能である。また、スライド部材２４には、蓋部材１６に形成された爪部３０ａ、３０ｂに係合する係合部３２が形成される。スライド部材２４を支持部材２０側にスライドさせることにより、本体部１４に対する蓋部材１６のロックが解除される。
【００２２】
さらに、蓋部材１６には、作業者が矢印方向（図６）に手動でスライドさせることでロックを解除できるロック解除ボタン３４ａ、３４ｂが設けられる。ロック解除ボタン３４ａ、３４ｂは、スライド部材２４に形成した切欠部３５ａ、３５ｂの段部３６に係合する図示しない係合部を有する。なお、切欠部３５ａ、３５ｂには、蓄積性蛍光体シートＩＰをカセッテ１２から取り出すための取出機構を構成する係合部材１９ａ、１９ｂが導入可能である。
【００２３】
放射線画像情報読取装置１０は、ケーシング４５によって囲繞されており、ケーシング４５の前部には、蓄積性蛍光体シートＩＰを収納したカセッテ１２を載置して装填する装填台３８を有した装填口４６（装填部）が配設される。なお、装填口４６の上部には、放射線画像情報読取装置１０の稼動状態を含む種々の情報を表示するとともに必要な操作を行うための表示操作部５０が配設される。また、表示操作部５０の下部には、操作者の指紋、虹彩等を読み取るための操作者確認センサ５２が配設される。放射線画像情報読取装置１０の操作を特定の者に制限し、セキュリティを高めるためである。
【００２４】
放射線画像情報読取装置１０の内部には、装填口４６に近接して図２に示す矢印Ｚ方向に変位可能な閉蓋ローラ４８が配設される。閉蓋ローラ４８は、カセッテ１２を放射線画像情報読取装置１０から取り出す際、蓋部材１６を本体部１４に対して押圧することで閉蓋処理を行う。
【００２５】
装填口４６から水平方向に延在して、カセッテ１２を搬送する搬送機構５６を構成する搬送ベルト５８が配設される。搬送ベルト５８は、両端部がプーリ６０ａ、６０ｂによって循環移動可能に支持される。プーリ６０ｂには、ベルト６４及びプーリ６６を介して駆動モータ６８が連結される。搬送ベルト５８には、カセッテ１２の本体部１４の端部が当接することで搬送方向に対する載置位置を決定する位置決め板６９が配設される。なお、位置決め板６９の両側部には、位置決めされた本体部１４の孔部２６ａ、２６ｂに挿入されることで蓋部材１６のロックを解除するピン部材６２ａ、６２ｂが配設される（図７）。
【００２６】
搬送機構５６の中央下部には、蓋部材１６の開閉機構を構成するリンク部材２３ａ、２３ｂの一端部がブラケット７１ａ、７１ｂによって軸支される。リンク部材２３ａ、２３ｂの他端部側は、カセッテ１２が装填される以前の状態において、図２に示すように、搬送ベルト５８に対して所定量上方に傾斜した状態で待機しており、その他端部には、蓋部材１６の両側部に形成された溝部２１ａ、２１ｂに係合するピン部材７３ａ、７３ｂが植設される。
【００２７】
また、搬送機構５６を構成する搬送ベルト５８には、位置決め板６９から装填口４６側に一定距離離間したカセッテ１２の両側部に位置して、蓄積性蛍光体シートＩＰの取出機構を構成するピン部材７０ａ、７０ｂ（図２、図６）が植設される。一方、プーリ６０ｂ寄りの搬送ベルト５８の両側部には、図７〜図９に示すように、一端部が軸支され、他端部がピン部材７０ａ、７０ｂの移動域に突出する係合部材１９ａ、１９ｂが配設される。係合部材１９ａ、１９ｂは、スプリング７４ａ、７４ｂによりピン部材７０ａ、７０ｂ側に付勢されており、ピン部材７０ａ、７０ｂによって矢印Ａ方向に回転変位することで蓄積性蛍光体シートＩＰの溝部１７ａ、１７ｂに係合し、蓄積性蛍光体シートＩＰを本体部１４から所定量だけ取り出す。
【００２８】
さらに、プーリ６０ｂの上部には、シリンダ７７によって矢印Ｙ方向（図９）に変位する押圧板７５が配設される。押圧板７５は、カセッテ１２の本体部１４から所定量だけ取り出された蓄積性蛍光体シートＩＰの端部を押圧することにより、蓄積性蛍光体シートＩＰをカセッテ１２内に収納する。
【００２９】
搬送機構５６の上部には、図２〜図４に示すように、開蓋されたカセッテ１２内の蓄積性蛍光体シートＩＰに記録された放射線画像情報を読み取る読取ユニット７９と、放射線画像情報の読み取られた蓄積性蛍光体シートＩＰに残存する放射線画像情報を消去する消去ユニット８１とが配設される。
【００３０】
読取ユニット７９は、搬送機構５６を構成する搬送ベルト５８と平行に配設されて駆動モータ８３で回転するボールねじ８５に係合しており、矢印Ｙ方向（副方向）に移動可能である。読取ユニット７９は、蓄積性蛍光体シートＩＰの主方向に対して励起光であるレーザビームＬを走査する励起光学系７６と、レーザビームＬが走査されることで蓄積性蛍光体シートＩＰから得られる輝尽発光光を集光ガイド７８を介して受光するフォトマルチプライア、ＣＣＤ（Charge Coupled Device）ラインセンサ等からなる光電変換部８０とを有する。
【００３１】
消去ユニット８１は、搬送ベルト５８の側部に配設され、放射線画像情報の読み取られた蓄積性蛍光体シートＩＰに対して消去光Ｑを照射するハロゲンランプ、ＨＩＤ（High Intensity Discharge Lamps）ランプ等からなる消去光源８２を有する。
【００３２】
本実施形態に係る放射線画像情報読取装置１０は、基本的には以上のように構成されるものであり、次にその動作について説明する。
【００３３】
作業者は、表示操作部５０に表示されているガイダンスに従い、操作者確認センサ５２を用いて適正な操作者であることを放射線画像情報読取装置１０に確認させた後、放射線画像情報が蓄積記録された蓄積性蛍光体シートＩＰを収納するカセッテ１２を装填台３８を介して装填口４６から装填する（図２）。
【００３４】
カセッテ１２の本体部１４の孔部２６ａ、２６ｂ側端部を搬送ベルト５８に配設した位置決め板６９に当接させて位置決めすると、位置決め板６９の両側部に配設されたピン部材６２ａ、６２ｂがカセッテ１２の孔部２６ａ、２６ｂに挿入される（図７）。なお、装填口４６の上部に配設された閉蓋ローラ４８は、矢印Ｚ方向上方に退避させておくものとする。この場合、ピン部材６２ａ、６２ｂが本体部１４の孔部２６ａ、２６ｂに挿入されると、スライド部材２４が支持部材２０側に変位するため、蓋部材１６の爪部３０ａ、３０ｂから係合部３２が外れ、蓋部材１６のロックが解除される（図６）。
【００３５】
次いで、搬送機構５６を構成する駆動モータ６８が駆動され、プーリ６６、ベルト６４及びプーリ６０ａ、６０ｂを介して搬送ベルト５８を矢印Ｙ方向に変位させることにより、カセッテ１２が放射線画像情報読取装置１０の内部に搬送されると、図２に示す状態で待機している開蓋機構を構成するリンク部材２３ａ、２３ｂの一端部に植設されたピン部材７３ａ、７３ｂが蓋部材１６の溝部２１ａ、２１ｂに係合する。その状態からカセッテ１２をさらに矢印Ｙ方向に搬送することにより、リンク部材２３ａ、２３ｂの作用によって蓋部材１６の開蓋が開始される（図３）。
【００３６】
蓋部材１６が開蓋されつつカセッテ１２が矢印Ｙ方向に所定量搬送されると、プーリ６０ｂ寄りの部位に配設されている取出機構を構成する係合部材１９ａ、１９ｂが、搬送ベルト５８に植設されたピン部材７０ａ、７０ｂによって、スプリング７４ａ、７４ｂの弾発力に抗して矢印Ａ方向に回転変位する（図７）。このとき、カセッテ１２に収納されている蓄積性蛍光体シートＩＰの溝部１７ａ、１７ｂがピン部材７０ａ、７０ｂに近接して配置されており、回転変位した係合部材１９ａ、１９ｂの先端部が溝部１７ａ、１７ｂに係合する。
【００３７】
この場合、係合部材１９ａ、１９ｂの先端部は、回転中心軸に対してピン部材７０ａ、７０ｂよりも蓄積性蛍光体シートＩＰ側に位置しているため、係合部材１９ａ、１９ｂの矢印Ｙ方向に対する移動速度は、搬送ベルト５８によるピン部材７０ａ、７０ｂの移動速度よりも速い。従って、係合部材１９ａ、１９ｂは、溝部１７ａ、１７ｂを介して蓄積性蛍光体シートＩＰをカセッテ１２の本体部１４から取り出し、蓄積性蛍光体シートＩＰの先端部を本体部１４から所定量突出させた状態とする（図８）。この後、駆動モータ６８を停止させてカセッテ１２及び蓄積性蛍光体シートＩＰを所定部位に位置決めする。
【００３８】
次に、前記の状態から読取ユニット７９を用いて放射線画像情報の読取処理を開始する。すなわち、駆動モータ８３を駆動してボールねじ８５を回転させ、読取ユニット７９を矢印Ｙ方向（副方向）に移動させる。読取ユニット７９の励起光学系７６から出力された励起光であるレーザビームＬは、蓄積性蛍光体シートＩＰを主方向に走査する。従って、蓄積性蛍光体シートＩＰは、レーザビームＬによって二次元的に走査されることになる。
【００３９】
この場合、蓄積性蛍光体シートＩＰは、図４に示すように、カセッテ１２から所定量だけ取り出されているため、読取ユニット７９は、蓋部材１６に干渉することなく蓄積性蛍光体シートＩＰの全面を走査することができる。また、蓄積性蛍光体シートＩＰは、読取ユニット７９が蓋部材１６に干渉しない範囲で本体部１４から所定量だけ突出させておけばよいため、カセッテ１２及び蓄積性蛍光体シートＩＰが占有するスペースを必要最小限として放射線画像情報読取装置１０の小型化に貢献することができる。
【００４０】
レーザビームＬが照射された蓄積性蛍光体シートＩＰからは、記録された放射線画像情報に対応した輝尽発光光が出力される。この輝尽発光光は、集光ガイド７８を介して光電変換部８０に導かれ、電気信号に変換される。
【００４１】
読取処理が完了し、読取ユニット７９を図４の二点鎖線で示す位置まで戻した後、消去ユニット８１を駆動して消去光源８２を点灯し、蓄積性蛍光体シートＩＰに消去光Ｑを照射することにより、残存する放射線画像情報を消去する。
【００４２】
消去処理が完了した後、搬送機構５６を駆動してカセッテ１２を装填口４６から離間する方向に所定量だけ搬送させると、図９に示すように、係合部材１９ａ、１９ｂがピン部材７０ａ、７０ｂによって回転変位するため、係合部材１９ａ、１９ｂの先端部が蓄積性蛍光体シートＩＰの溝部１７ａ、１７ｂから離脱する。この後、プーリ６０ｂの上部に待機しているシリンダ７７を駆動して押圧板７５を装填口４６側に変位させることにより、蓄積性蛍光体シートＩＰが変位して本体部１４に収納される。
【００４３】
蓄積性蛍光体シートＩＰが本体部１４に収納された後、搬送機構５６を駆動し、搬送ベルト５８によってカセッテ１２を装填口４６側に搬送する。このとき、一端部がピン部材７３ａ、７３ｂを介して蓋部材１６の溝部２１ａ、２１ｂに係合しているリンク部材２３ａ、２３ｂが蓋部材１６を徐々に閉蓋する。なお、カセッテ１２が装填台３８に排出される際、装填口４６の上部に配設されている閉蓋ローラ４８を矢印Ｚ方向に下降させて蓋部材１６を押圧することにより、蓋部材１６がロック機構１８ａ、１８ｂによって本体部１４にロックされる。
【００４４】
以上のようにして、蓄積性蛍光体シートＩＰを収納したカセッテ１２が放射線画像情報読取装置１０の外部に排出される。
【００４５】
なお、上述した実施形態における蓋部材１６の開閉機構は、図１０及び図１１に示すように構成することもできる。
【００４６】
すなわち、リンク部材８６ａ、８６ｂの一端部を長孔８８ａ、８８ｂを介して軸支する一方、リンク部材８６ａ、８６ｂの他端部に植設されたピン部材９０ａ、９０ｂを蓋部材１６の溝部２１ａ、２１ｂに係合し、搬送ベルト５８の両側部に配設したカム部材９２ａ、９２ｂの傾斜したカム面９４ａ、９４ｂに沿って摺動するように配置する。
【００４７】
開閉機構をこのように構成した場合、カム部材９２ａ、９２ｂがカセッテ１２とともに移動することで、スプリング９６ａ、９６ｂにより保持されたリンク部材８６ａ、８６ｂのピン部材９０ａ、９０ｂがカム面９４ａ、９４ｂに沿って移動上昇し、蓋部材１６が開蓋される。
【００４８】
また、蓄積性蛍光体シートＩＰをカセッテ１２から取り出す取出機構を構成する係合部材１９ａ、１９ｂは、ピン部材７０ａ、７０ｂを用いて回転変位させる代わりに、カセッテ１２が所定位置まで搬送されたときに、モータ等の駆動源を用いて回転させて蓄積性蛍光体シートＩＰの溝部２１ａ、２１ｂに係合させ、蓄積性蛍光体シートＩＰを取り出すように構成することもできる。
【図面の簡単な説明】
【００４９】
【図１】本実施形態に係る放射線画像情報読取装置の外観図である。
【図２】本実施形態に係る放射線画像情報読取装置のカセッテ装填時における内部構成図である。
【図３】本実施形態に係る放射線画像情報読取装置のカセッテ開蓋中における内部構成図である。
【図４】本実施形態に係る放射線画像情報読取装置のカセッテ開蓋完了時における内部構成図である。
【図５】本実施形態に係る放射線画像情報読取装置に装填されるカセッテの説明図である。
【図６】図５に示すカセッテに配設されるロック機構の構成説明図である。
【図７】本実施形態に係る放射線画像情報読取装置における蓄積性蛍光体シートの取出機構の動作説明図である。
【図８】本実施形態に係る放射線画像情報読取装置における蓄積性蛍光体シートの取出機構の動作説明図である。
【図９】本実施形態に係る放射線画像情報読取装置における蓄積性蛍光体シートの取出機構の動作説明図である。
【図１０】放射線画像情報読取装置における開閉機構の他の実施形態の動作説明図である。
【図１１】放射線画像情報読取装置における開閉機構の他の実施形態の動作説明図である。
【符号の説明】
【００５０】
１０…放射線画像情報読取装置    １２…カセッテ
１４…本体部                    １６…蓋部材
１７ａ、１７ｂ、２１ａ、２１ｂ…溝部
１８ａ、１８ｂ…ロック機構      １９ａ、１９ｂ…係合部材
２３ａ、２３ｂ、８６ａ、８６ｂ…リンク部材
４６…装填口                    ５６…搬送機構
５８…搬送ベルト
６２ａ、６２ｂ、７０ａ、７０ｂ、７３ａ、７３ｂ…ピン部材
６９…位置決め板                ７５…押圧板
７６…励起光学系                ７９…読取ユニット
８０…光電変換部                ８１…消去ユニット
８２…消去光源                  ９２ａ、９２ｂ…カム部材
【図１】
2005202293.tif 000003
【図２】
2005202293.tif 000004
【図３】
2005202293.tif 000005
【図４】
2005202293.tif 000006
【図５】
2005202293.tif 000007
【図６】
2005202293.tif 000008
【図７】
2005202293.tif 000009
【図８】
2005202293.tif 000010
【図９】
2005202293.tif 000011
【図１０】
2005202293.tif 000012
【図１１】
2005202293.tif 000013